(57)【要約】【課題】動力生成部が冷寒地に設置された場合であっても、動力生成部の始動性および室内作業者の作業環境の悪化を防止し、ひいては生成した動力の利用環境の向上に資する動力生成システムを提供する。【解決手段】動力生成システムは、室内Ｉｎを包囲して室内Ｉｎと室外Ｏｕｔとを隔離する壁部１と、室内Ｉｎの空気を燃料と混合して燃焼させ動力を生成する動力生成部２と、吸気路４１を介して室外Ｏｕｔの空気を室内Ｉｎへ取り入れる室外気取入部４と、吸気路４１を開閉する吸気路開閉部５と制御部１０を有し、制御部１０により吸気路開閉部５を制御する。【選択図】図１
2010255446.tif 000002
【特許請求の範囲】
【請求項１】
室内を包囲して当該室内と室外とを隔離する壁部と、
前記室内の空気を燃料と混合して燃焼させ動力を生成する動力生成部と、
吸気路を介して前記室外の空気を前記室内へ取り入れる室外気取入部と、
前記吸気路を開閉する吸気路開閉部と、
前記吸気路開閉部を制御する制御部と、
前記室内の空気と前記動力生成部との熱交換を行い、前記動力生成部を冷却する冷却部と、
前記冷却部で熱交換により加熱された空気を室外へ導出する室外路および室内へ導出する室内路を有する室内外導出路と、
前記室内外導出路を構成する前記室外路および前記室内路の少なくとも何れかを開閉する導出路開閉部と、
前記室内の空気の温度を検出する温度検出部とを具備してなり、
前記制御部は、さらに前記導出路開閉部を通じて前記冷却部で熱交換により加熱された空気の導出先を制御するとともに、前記温度検出部により検出された温度に基づいて前記吸気路開閉部および前記導出路開閉部を制御することを特徴とする動力生成システム。
【発明の詳細な説明】
【技術分野】
【０００１】
本発明は、空気を燃料と混合して燃焼させ動力を生成するエンジン等の内燃機関を主体とする動力生成システムに関し、特に工場等の建物の室内に内燃機関を備えた動力生成システムに関する。
【背景技術】
【０００２】
エンジン駆動型発電システム等に適用される従来の動力生成システムは、例えば特許文献１及び図５に例示するように、室内Ｉｎを包囲して室内Ｉｎと室外Ｏｕｔとを隔離する壁部１０１と、室内Ｉｎの空気を燃料と混合して燃焼させ動力を生成する内燃機関（ガソリンエンジン、ディーゼルエンジン等）の動力生成部１０２と、吸気路１４１を介して室外Ｏｕｔの空気を室内Ｉｎへ取り入れる室外気取入部１０４と、室内Ｉｎの空気と動力生成部１０２との熱交換を行い、動力生成部１０２を冷却するラジエター等の冷却部１０６と、室外路１７１を介して冷却部１０６で熱交換により加熱された空気を室外Ｏｕｔへ導出する室外導出路１０７とを含んで構成されているのが通例であり、燃焼に適切な量の酸素を含有する室外Ｏｕｔの空気を室内Ｉｎに取り込み、この室内Ｉｎの空気を動力生成部１０２に取り込んで燃料を燃焼させ排気部１２２を介して燃焼後の空気を室外Ｏｕｔへ排出して動力を生成し、発電機等の動力利用部Ｕｓにおける動力の利用に資するものである。
【０００３】
動力生成システムの一種には、図５に例示するように、工場等の建物の室内Ｉｎに動力生成部１０２を設け、室内Ｉｎと室外Ｏｕｔとを隔離する壁部１０１を建造物としたものが知られている。また、特許文献１には、他種の動力生成システムとして、装置ケースの内部に動力生成部を設け、装置ケース内部（室内）と装置ケース外部（室外）とを隔離する壁部を装置ケースとしたものが知られている。
【先行技術文献】
【特許文献】
【０００４】
【特許文献１】特開２０００−９７０４０号公報
【発明の概要】
【発明が解決しようとする課題】
【０００５】
ところで、上記従来の動力生成システムにおいては、内燃機関等の動力生成部の温度が室内温度とほぼ等しいかあるいは室内温度より低い場合には、通常作動時の空燃比では起動しにくくなったり、始動に必要な空燃比を得るために燃料の供給量を増加させ燃焼効率が悪くなったりする等の始動性が悪化する場合があり、特に冷寒地では始動性が著しく低下する。また、工場等の建物の室内に設置されるような大型の動力生成部では、暖機に時間を多く必要とするため、始動性に乏しいものである。
【０００６】
しかしながら、上記の従来の動力生成システムでは、動力生成部の始動時に室外の空気の取り込みを開始するので、室外の空気が室内を介して動力生成部に供給され動力生成部の暖機を阻害して始動性が悪化する場合がある。特に、動力生成システムが冷寒地に設けられている場合は、冷気が室内に充満し動力生成部を冷却するので、始動性が著しく低下してしまう。また、工場等の建物に適用した動力生成システムでは、冷気が室内に充満すると室内作業者の作業環境が悪化してしまう。
【０００７】
本発明の目的は、このような課題に着目してなされたものであって、動力生成部が冷寒地に設置された場合であっても、動力生成部の始動性および室内作業者の作業環境の悪化を防止し、ひいては生成した動力の利用環境の向上に資する動力生成システムを提供することである。
【課題を解決するための手段】
【０００８】
本発明は、かかる目的を達成するために、次のような手段を講じたものである。
【０００９】
すなわち、本発明に係る動力生成システムは、室内を包囲して当該室内と室外とを隔離する壁部と、前記室内の空気を燃料と混合して燃焼させ動力を生成する動力生成部と、吸気路を介して前記室外の空気を前記室内へ取り入れる室外気取入部と、前記吸気路を開閉する吸気路開閉部と、前記吸気路開閉部を制御する制御部とを具備してなることを特徴とする。
【００１０】
従来では、室外の空気が吸気路を介して室内へ常に取り入れていたがため、例えば寒冷地における室外の空気を室内へ取り入れると動力生成部の始動性や室内作業者の作業環境を悪化させる場合があるが、これに対して本発明では、必要に応じて吸気路を開閉できるようにしているので、吸気路の開度を制御し、室外の空気を室内へ取り入れることを避け、動力生成部の始動性や室内作業者の作業環境の悪化を防止することができる。
【００１１】
前記に加えて本発明では、前記室内の空気と前記動力生成部との熱交換を行い、前記動力生成部を冷却する冷却部と、前記冷却部で熱交換により加熱された空気を室外へ導出する室外路および室内へ導出する室内路を有する室内外導出路と、前記室内外導出路を構成する前記室外路および前記室内路の少なくとも何れかを開閉する導出路開閉部とをさらに備え、前記制御部は、前記導出路開閉部を通じて前記冷却部で熱交換により加熱された空気の導出先を制御するので、室内の空気の温度を高めて動力生成部の始動性や室内作業者の作業環境の向上させることができる。
【００１２】
さらに上記に加えて本発明では、前記室内の空気の温度を検出する温度検出部をさらに備えてなり、前記制御部は、前記温度検出部により検出された温度に基づいて前記開閉部を制御するので、室内の温度変化に対応して室内環境を適度な温度に制御することができる。
【００１３】
室内の温度変化に応じた適切な自動制御を行うためには、前記制御部は、前記温度検出部により検出された温度が第１温度以下である場合に前記吸気路開閉部を閉方向に制御し、前記温度検出部により検出された温度が前記第１温度より高く且つ第１温度より高い第２温度以下である場合に前記温度検出部により検出された温度に応じて前記吸気路開閉部を制御し、前記温度検出部により検出された温度が前記第２温度より高い場合に前記吸気路開閉部を開方向に制御することが好ましい。
【００１４】
室内の温度変化に対応して室内を適度な温度に維持するためには、前記制御部は、前記温度検出部により検出された温度が第１温度以下である場合に前記冷却部で熱交換により加熱された空気の導出先が前記室内となるように前記導出路開閉部を制御し、前記温度検出部により検出された温度が前記第１温度より高く且つ第１温度より高い第２温度以下である場合に前記冷却部で熱交換により加熱された空気の導出先が当該検出された温度に応じた割合で前記室内及び前記室外になるように前記導出路開閉部を制御し、前記温度検出部により検出された温度が前記第２温度より高い場合に前記冷却部で熱交換により加熱された空気の導出先が前記室外になるように前記導出路開閉部を制御することが望ましい。
【発明の効果】
【００１５】
本発明は、以上説明した構成であるから、動力生成部が始動性に乏しい場合や冷寒地に設置された場合であっても、動力生成部の始動性および室内作業者の作業環境の悪化を防止し、ひいては生成した動力の利用環境の向上に資することができる。
【図面の簡単な説明】
【００１６】
【図１】本発明の一実施形態に係る動力生成システムを適用したエンジン駆動型発電システムの概略構成図。
【図２】同エンジン駆動型発電システムの制御部を示す機能ブロック図。
【図３】同エンジン駆動型発電システムにおける室内温度に応じた各開閉部の制御を示す説明図。
【図４】同エンジン駆動型発電システムの制御部が実行する制御処理ルーチンを示すフローチャート。
【図５】従来の動力生成システムを示す概略構成図。
【発明を実施するための形態】
【００１７】
以下、本発明の一実施形態に係る動力生成システムについて図１〜図４を参照して説明する。なお、エンジン等の内燃機関で動力を生成し、生成した動力を発電機で利用し発電するエンジン駆動型発電システムを例示して説明する。
【００１８】
図１に示すように、本発明の一実施形態に係る動力生成システム（エンジン駆動型発電システム）は、壁部１と、室内Ｉｎに配置された動力生成部２と、室外気取入部４と、冷却部６と、室内外導出路７とを含んで構成されている。
【００１９】
壁部１は、工場等の建物の発電機室空間を包囲し、発電機室の室内Ｉｎと建物外部である室外Ｏｕｔとを隔離するものであり、室内Ｉｎにおいて室内作業者Ｈｕが各種の作業を行っている。
【００２０】
動力生成部２は、ディーゼルエンジン等の内燃機関を壁部１で包囲された室内Ｉｎに配置したものであり、燃焼部２１と、排気部２２とを主体として構成されている。燃焼部２１は、室内の空気を吸気して図示しない燃料タンクに収容された燃料と混合しシリンダ内で燃焼させて燃焼時の爆発力を機械的な動力に変換して出力するものである。排気部２２は、燃焼部２１で燃焼した燃焼気を燃焼気排出管２２ａ及び消音器２２ｂを介して室外Ｏｕｔへ排出する。動力生成部２は、通常作動時より燃料の供給量を高めて始動に必要な空燃比を得て始動する場合がある。
【００２１】
動力利用部Ｕｓは、燃焼部２１と接続され、燃焼部２１により生成された動力を利用、すなわち電気に変換する発電機であり、動力生成部２と共にエンジン駆動型発電システムの中核をなしている。
【００２２】
室外気取入部４は、室外Ｏｕｔと室内Ｉｎとを連通する吸気路４１を形成する吸気ダクト４２と、吸気路４１の室内側の端部に設けられた吸気ファン４３とを有しており、動力生成部２の駆動の開始に併せて吸気ファン４３の回転を開始するものである。
【００２３】
冷却部６は、動力生成部２、特に燃焼部２１を冷却するラジエターであり、冷媒を介して燃焼部２１の熱を熱交換部６ａに伝え、熱交換部６ａにおいて室内Ｉｎの空気と冷媒との熱交換を行い、熱交換部において熱交換により冷却された冷媒で燃焼部２１を冷却するとともに、熱交換部６ａにおいて熱交換により加熱された空気を排出する。
【００２４】
室内外導出路７は、室外Ｏｕｔと室内Ｉｎとを連通し、冷却部６で熱交換により加熱された空気を室外Ｏｕｔへ導出する室外路７１を形成する排気ダクト７３を含んで構成されている。
【００２５】
本実施形態では、上記構成に対してさらに以下の構成を加えている。
【００２６】
すなわち、室外気取入部４の吸気路４１を開閉する吸気路開閉部５を設けている。具体的には、吸気路開閉部５は、吸気ダクト４２の上部に室内Ｉｎへ開口する開口４２ａを設け、吸気路４１における開口４２ａの室外側の部位に板状部材及び回転アクチュエータからなるダンパーを設けてなり、板状部材を回転させて吸気路４１および開口４２ａを背反的に開閉し、吸気路４１の開度を制御して、吸気路４１を流れる空気の流量を調節するものである。吸気路開閉部５は、信号線Ｓ１を介して後述する制御部１０に電気的に接続されており、制御部１０の指令に応じて吸気路４１を開閉する。吸気路４１が閉じているときは開口４２ａが開くので、吸気ファン４３により開口４２ａを介して室内Ｉｎの空気が室内Ｉｎを循環する。一方、開口４２ａが開いているときは吸気路４１が開くので、吸気ファン４３により吸気路４１を介して室外Ｏｕｔの空気が室内Ｉｎへ取り入れられる。なお、本実施形態では、開口４２ａを設けて吸気路４１を閉めているときに室内Ｉｎの空気を拡散するようにしているが、開口４２ａを設けなくてもよい。
【００２７】
室内外導出路７に対しては、室外路７１を形成する排気ダクト７３の上部に室内Ｉｎへ開口する開口７３ａを設けて、冷却部６で熱交換により加熱された空気を室内Ｉｎへ導出する室内路７２を形成している。
【００２８】
また、前記室内外導出路７に関連づけて、室内外導出路７を構成する室外路７１および室内路７２の少なくとも何れかを開閉する導出路開閉部８を設けている。具体的には、室外路７１における開口７３ａの室外側の部位に板状部材及び回転アクチュエータからなるダンパーを設けてなり、板状部材を回転させて室外路７１および室内路７２を背反的に開閉し、一つのダンパーで室外路７１および室内路７２の開度を制御して、室外路７１および室内路７２を流れる空気の流量を調節するものである。導出路開閉部８は、信号線Ｓ２を介して後述する制御部１０に電気的に接続されており、制御部１０の指令に応じて少なくとも室外路７１及び室内路７２の何れかを開閉する。なお、本実施形態では、一つのダンパーにより室外路７１および室内路７２を背反的に開閉しているが、複数のダンパーを設けて、それぞれ独立して各路を開閉するように構成してもよい。
【００２９】
室内Ｉｎの天井部近傍には、室内の空気の温度を検出するサーミスタ等の温度検出部９を設けている。温度検出部９は、後述する制御部１０に電気的に接続され、制御部１０に対して検出した温度を示す信号を送信する。
【００３０】
制御部１０は、温度検出部９からの信号を受信して、吸気路４１、室外路７１及び室内路７２の開度を制御する。制御部１０は、図２に示すように、ＣＰＵ１１と、ＲＡＭ１２と、ＲＯＭ１３と、インターフェイス１４を備えている。ＣＰＵ１１は、後述する制御処理ルーチンを実行することにより、制御部１０の機能を実現する。ＲＡＭ１２は、ＣＰＵ１１が実行するプログラムや、プログラムを実行する際に用いられるデータを一時的に記憶する。ＲＯＭ１３は、ＣＰＵ１１により実行される各プログラムや、恒久的に用いるデータが記憶されている。ＲＯＭ１３に記憶されるプログラムは、例えば後述する制御処理ルーチンが挙げられる。インターフェイス１４は、吸気路開閉部５、導出路開閉部８及び温度検出部９に電気的に接続されており、これらとＣＰＵ１１との信号のやりとりを中継する。なお、本実施形態では、制御部１０は、吸気路４１、室外路７１及び室内路７２の三路の開度を制御しているが、吸気路４１のみを備えた実施形態では吸気路４１の開度のみを制御するようにしてもよい。
【００３１】
次に、図３を用いて吸気路開閉部５及び導出路開閉部８の制御について説明する。
【００３２】
図３に示すように、吸気路開閉部５により開閉される吸気路４１の開度を、室内の空気の温度が第１温度Ｄ１以下である場合は全閉（開度０％）に制御し、室内の空気の温度が第２温度Ｄ２より高い場合は全開（開度１００％）に制御し、室内の空気の温度が第１温度Ｄ１より高く且つ第２温度Ｄ２以下である場合は、室内の空気の温度に応じて開度０％及び開度１００％の間を直線的に変化させた開度に制御する。なお、第２温度Ｄ２は第１温度Ｄ１より高い温度であり、上記のＲＯＭ１３に記憶されている。また、室内温度に応じて開度０％と１００％との間を直線的に変化させているが、曲線的、段階的に変化させても良い。
【００３３】
また、導出路開閉部８を通じて冷却部６で熱交換により加熱された空気の導出先を、室内の空気の温度が第１温度Ｄ１以下である場合は室外：室内＝０％：１００％の割合で制御し、室内の空気の温度が第２温度より高い場合は室外：室内＝１００％：０％の割合で制御し、室内の空気の温度が第１温度Ｄ１より高く且つ第２温度Ｄ２以下の場合は室内の空気の温度に応じた割合で制御する。なお、この室内温度に応じた割合は一例であるので、これに限定されるものではない。
【００３４】
次に、制御部１０の動作について説明する。ＣＰＵ１１は、電源が投入されると図４に示す制御処理ルーチンを実行する。
【００３５】
制御処理ルーチンが実行されると、まず、ＣＰＵ１１は、温度検出部９により室内Ｉｎの空気の温度を検出する（Ｓ１）。次に、ＣＰＵ１１は、検出した温度が第１温度Ｄ１以下であるか否かを判定する（Ｓ２）。Ｓ２の処理において検出した温度が第１温度Ｄ１以下であると判定した場合には（Ｓ２：ＹＥＳ）、ＣＰＵ１１は、吸気路４１の開度を閉方向へ制御し、室外Ｏｕｔの空気を室内Ｉｎに取り入れることを低減乃至回避する（Ｓ３）。次に、ＣＰＵ１１は、導出路開閉部８を通じて冷却部６で熱交換により加熱された空気の導入先が室内Ｉｎになるように制御し（Ｓ４）、Ｓ１の処理の実行に戻る。
【００３６】
一方、Ｓ２の処理において検出した温度が第１温度Ｄ１より高い場合には（Ｓ２：ＮＯ）、ＣＰＵ１１は、検出した温度が第２温度Ｄ２以下であるか否かを判定する（Ｓ５）。検出した温度が第２温度Ｄ２以下であると判定した場合には（Ｓ５：ＹＥＳ）、ＣＰＵ１１は、検出した温度に応じた開度で吸気路４１の開度を制御する（Ｓ６）。次に、導出路開閉部８を通じて冷却部６で熱交換により加熱された空気の導入先を検出した温度に応じた割合で室内Ｉｎ及び室外Ｏｕｔになるように制御し（Ｓ７）、Ｓ１の処理の実行に戻る。
【００３７】
一方、Ｓ５の処理において検出した温度が第２温度Ｄ２以下でないと判定した場合には（Ｓ５：ＮＯ）、ＣＰＵ１１は、吸気路４１の開度を開方向へ制御する（Ｓ８）。次に、ＣＰＵ１１は、導出路開閉部８を通じて冷却部６で熱交換により加熱された空気の導入先が室外Ｏｕｔになるように制御し（Ｓ９）、Ｓ１の処理の実行に戻る。
【００３８】
以上のように、本実施形態に係る動力生成システムは、室内Ｉｎを包囲して室内Ｉｎと室外Ｏｕｔとを隔離する壁部１と、室内Ｉｎの空気を燃料と混合して燃焼させ動力を生成する動力生成部２と、吸気路４１を介して室外Ｏｕｔの空気を室内Ｉｎへ取り入れる室外気取入部４と、吸気路４１を開閉する吸気路開閉部５と、吸気路開閉部５を制御する制御部１０とを具備してなることを特徴とする。
【００３９】
従来では、室外Ｏｕｔの空気が吸気路４１を介して室内Ｉｎへ常に取り入れていたがため、例えば寒冷地における室外Ｏｕｔの空気を室内Ｉｎへ取り入れると動力生成部２の始動性や室内作業者Ｈｕの作業環境を悪化させる場合があるが、これに対して本実施形態では、必要に応じて吸気路４１を開閉できるようにしているので、吸気路４１の開度を制御し、室外Ｏｕｔの空気を室内Ｉｎへ取り入れることを避け、動力生成部２の始動性や室内作業者Ｈｕの作業環境の悪化を防止することができる。
【００４０】
前記に加えて本実施形態では、室内Ｉｎの空気と動力生成部２との熱交換を行い、動力生成部２を冷却する冷却部６と、冷却部６で熱交換により加熱された空気を室外Ｏｕｔへ導出する室外路７１および室内Ｉｎへ導出する室内路７２を有する室内外導出路７と、室内外導出路７を構成する室外路７１および室内路７２の少なくとも何れかを開閉する導出路開閉部８とをさらに備え、制御部１０が、導出路開閉部８を通じて冷却部６で熱交換により加熱された空気の導出先を制御するので、冷却部６で熱交換により加熱された空気を必要に応じて室内Ｉｎに導出し、室内Ｉｎの空気の温度を高めて、動力生成部２の始動性や室内作業者Ｈｕの作業環境の向上させることができる。
【００４１】
さらに上記に加えて本実施形態では、室内Ｉｎの空気の温度を検出する温度検出部９をさらに備えてなり、制御部１０が、温度検出部９により検出された温度に基づいて開閉部（吸気路開閉部５のみ若しくは吸気路開閉部５及び導出路開閉部８）を制御するので、室内Ｉｎの温度変化に対応して室内環境を適度な温度に制御部１０することができる。
【００４２】
さらに、制御部１０が、温度検出部９により検出された温度が第１温度Ｄ１以下である場合に吸気路開閉部５を閉方向に制御し、温度検出部９により検出された温度が第１温度Ｄ１より高く且つ第１温度Ｄ１より高い第２温度Ｄ２以下である場合に温度検出部９により検出された温度に応じて吸気路開閉部５を制御し、温度検出部９により検出された温度が第２温度Ｄ２より高い場合に吸気路開閉部５を開方向に制御するので、室内Ｉｎの空気の温度が第１温度Ｄ１以下である場合に吸気路４１の開度を閉方向に制御し、室外Ｏｕｔの空気を室内へ取り入れることを避けて、動力生成部２の始動性や室内作業者Ｈｕの作業環境の悪化を防止すことができる。また、室内Ｉｎの空気の温度が第１温度Ｄ１より高く且つ第１温度Ｄ１より高い第２温度Ｄ２以下である場合に室内Ｉｎの空気の温度に応じて吸気路４１の開度を制御し、適度に室外Ｏｕｔの空気を取り入れて、室内環境を室内作業者Ｈｕや動力生成部２の燃焼にとって適度な状態に維持することができる。また、室内Ｉｎの空気の温度が第２温度Ｄ２より高い場合に吸気路４１の開度を開方向に制御し、室外Ｏｕｔの空気を取り入れて、室内環境を室内作業者Ｈｕや動力生成部２の燃焼にとって適度な状態に維持することができる。したがって、室内Ｉｎの温度変化に応じた適切な自動制御を行うことが可能となる。
【００４３】
この吸気路４１の開度制御に加えて、制御部１０が、温度検出部９により検出された温度が第１温度Ｄ１以下である場合に冷却部６で熱交換により加熱された空気の導出先が室内Ｉｎとなるように導出路開閉部８を制御し、温度検出部９により検出された温度が第１温度Ｄ１より高く且つ第１温度Ｄ１より高い第２温度Ｄ２以下である場合に冷却部６で熱交換により加熱された空気の導出先が検出された温度に応じた割合で室内Ｉｎ及び室外Ｏｕｔになるように導出路開閉部８を制御し、温度検出部９により検出された温度が第２温度Ｄ２より高い場合に冷却部６で熱交換により加熱された空気の導出先が室外Ｏｕｔになるように導出路開閉部８を制御するので、室内の空気の温度が第１温度以下である場合に冷却部６で熱交換により加熱された空気を通じて室内Ｉｎの空気を温め、動力生成部２の始動性や室内作業者Ｈｕの作業環境の向上させることができる。また、室内Ｉｎの空気の温度が第１温度Ｄ１より高く且つ第１温度Ｄ１より高い第２温度Ｄ２以下である場合に冷却部６で熱交換により加熱された空気を室内Ｉｎの空気の温度に応じた割合で室内Ｉｎ及び室外Ｏｕｔへ導出し、室内Ｉｎの温度を適度な状態に維持することができる。また、室内Ｉｎの空気の温度が第２温度Ｄ２より高い場合に冷却部６で熱交換により加熱された空気を室外Ｏｕｔのみに導出して、室内Ｉｎの空気の温度上昇を抑制することができる。したがって、室内Ｉｎの温度変化に対応して室内環境を適度な温度に制御することができる。
【００４４】
以上、本発明の一実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００４５】
例えば、制御部１０が少なくとも動力生成部２の始動時に吸気路４１の開度を閉方向へ制御するようにしてもよい。動力生成部２の始動時を、動力生成部２を起動する時点から、動力生成部２の始動時に高めた燃料の供給量を低下させ通常作動時の空燃比にしても動力生成部２が継続して作動する状態になった時点までと取り扱うとよい。このようにすると上記と同様に動力生成部の始動性の悪化を防止することができる。
【００４６】
さらに、動力生成部２の始動時を、動力生成部２を起動する時点から動力生成部２が暖機するために必要な所定時間が経過する時点までと取り扱ってもよい。具体的には、所定時間を制御部１０の記憶部（ＲＯＭ１３等）に予め記憶しておき、制御部１０において動力生成部２の起動から所定時間が経過したか否かを判定し、この判定結果に応じて吸気路開閉部５の開度を制御する構成が挙げられる。
【００４７】
さらに、動力生成部２の始動時を、動力生成部２を起動する時点から動力生成部２の温度が室内温度より高くなる時点までと取り扱ってもよい。具体的には、動力生成部２の温度を検出する動力生成部温度検出部を設け、制御部１０において動力生成部温度検出部により検出された動力生成部２の温度と、温度検出部９により検出された室内温度とを比較し、比較結果に応じて吸気路開閉部５の開度を制御する構成が挙げられる。
【００４８】
さらに、動力生成部２の始動時を、動力生成部２を起動する時点から動力生成部２の暖機を要することなく通常作動時の空燃比で動力生成部２が継続して作動する所定温度に室内温度が達する時点までと取り扱ってもよい。具体的には、所定時間を制御部１０の記憶部（ＲＯＭ１３等）に予め記憶しておき、制御部１０において動力生成部２の起動してから所定時間が経過したか否かを判定し、この判定結果に応じて吸気路開閉部５の開度を制御する構成が挙げられる。
【００４９】
また、動力生成部の燃焼に必要な酸素が不足するために特許文献１に示すような装置ケース内部に動力生成部を設けた動力生成システムに対して本発明を適用することは難しく、動力生成部２の燃焼に必要な酸素を含有する空気を大量に収容可能な工場等の建物の室内に動力生成部２を設けた動力生成システムに適用可能なものである。
【００５０】
なお、各部の具体的な構成は、上述した実施形態のみに限定されるものではなく、本発明の趣旨を逸脱しない範囲で種々変形が可能である。
【符号の説明】
【００５１】
１‥‥壁部
２‥‥動力生成部
４‥‥室外気取入部
４１‥吸気路
５‥‥吸気路開閉部
６‥‥冷却部
７‥‥室内外導出路
７１‥室外路
７２‥室内路
８‥‥導出路開閉部
９‥‥温度検出部
１０‥制御部
Ｄ１‥第１温度
Ｄ２‥第２温度
【図１】
2010255446.tif 000003
【図２】
2010255446.tif 000004
【図３】
2010255446.tif 000005
【図４】
2010255446.tif 000006
【図５】
2010255446.tif 000007